(57)【要約】【課題】給水栓エルボを壁面に取り付ける際に水栓エルボが共回りするのを防止し且つ正規の向きに水栓エルボを取付け可能とするものであり、作業者の作業を容易ならしめる回転防止具を提供する。【解決手段】一枚の板材１で主体が構成され、複数のエルボ２を夫々挿通するための複数の穴開口部１１を備えるとともに、その板材１には該エルボ２の回転を防止する回転防止部１２を備えた。【選択図】        図１
2009203648.tif 000002
【特許請求の範囲】
【請求項１】
一枚の板材で主体が構成され、複数のエルボを夫々挿通するための複数の穴開口部を備えるとともに、その板材には該エルボの回転を防止する回転防止部を備えて成ることを特徴とする回転防止具。
【請求項２】
前記板材は縦部と該縦部から立設する横部とからなる略Ｌ字状に形成され、該縦部に複数のエルボを夫々挿通するための複数の穴開口部を設けるとともに、該横部には該エルボが嵌る切欠部を有した回転防止部を設けて成ることを特徴とする請求項１記載の回転防止具。
【請求項３】
単一のエルボを挿通する単一の穴開口部を備える板材を複数枚備え、該板材はエルボの回転を防止する回転防止部を備えるとともに、各板材が同一平面上に位置するように各々の板材を相互に固定する連結部を備えて成ることを特徴とする回転防止具。
【請求項４】
前記板材は縦部と該縦部から立設する横部とからなる略逆Ｌ字形状に形成され、該縦部に単一のエルボを挿通する単一の穴開口部を設けるとともに、該横部が直線状に形成されたエルボの側面に線状又は平面状に当接して回転を防止する回転防止部となり、該横部には連結部を接続する接続部を設けるとともに該連結部には長手方向に長い被接続部を備え、該連結部の被接続部に各板材の接続部を同一平面上の任意の位置に固定することで各板材を相互に固定して成ることを特徴とする請求項３記載の回転防止具。
【発明の詳細な説明】
【技術分野】
【０００１】
本発明は、水栓エルボを壁面に取り付ける際に使用する回転防止具に関するものである。
【背景技術】
【０００２】
従来の水栓エルボの固定方法は、図４に示すように例えばバスルームの壁面５に穿設された穴開口５１の後面から水栓エルボ２を挿通し、バスルーム側から締付リング６にて螺合することで壁面５を挟み、水栓エルボ２を壁面５に固定していた。（例えば特許文献１参照）
【特許文献１】特開２００６−３２８７９３号公報
【発明の開示】
【発明が解決しようとする課題】
【０００３】
ところで、水栓エルボ２の取付け作業時において締付リング６を回転することによって高トルクで締結する際、締付リング６の回転に追従するように水栓エルボ２が回転してしまう、いわゆる共回り現象は作業者にとって非常に煩わしいものである。ここで、バスルームの水栓エルボ２の取付け作業において、締付リング６にて螺合するにはバスルーム内部から締結具７を用いて高トルクにて締結する必要があるため水栓エルボ２が共回りしてしまう問題が生じており、従ってバスルーム内部の作業者とバスルーム外部の作業者との複数人で作業する必要があった。
【０００４】
さらに、この水栓エルボ２の共回りによって水栓エルボ２を鉛直下向きに設置できないと、ウォーターハンマー現象が発生する原因にもなり配管の破損のおそれも生じ、これによって漏水する可能性があるものであった。
【０００５】
本発明は上記事情に鑑みてなされたものであり、その目的とするところは、給水栓エルボ２を壁面５に取り付ける際に水栓エルボ２が共回りするのを防止し且つ正規の向きに水栓エルボ２を取付け可能とするものであり、作業者の作業を容易ならしめる回転防止具３を提供することにある。
【課題を解決するための手段】
【０００６】
上記課題を解決するために請求項１に係る発明にあっては、一枚の板材１で主体が構成され、複数のエルボ２を夫々挿通するための複数の穴開口部１１を備えるとともに、その板材１には該エルボ２の回転を防止する回転防止部１２を備えて成ることを特徴とするものである。このような構成によれば、一枚の板材１に複数のエルボ２が挿通している構成を採用したので締付リング６を螺合時に該回転防止具３が回転して取付いてしまうことを回避することができ、さらに該回転防止具３は回転防止部１２を備えているので、エルボ２が共回りするのを防止しエルボ２の向きを所望の向きに設置することが可能となる。
【０００７】
また、請求項２に係る発明にあっては、請求項１に係る発明において、前記板材１は縦部１３と該縦部１３から立設する横部１４とからなる略Ｌ字状に形成され、該縦部１３に複数のエルボ２を夫々挿通するための複数の穴開口部１１を設けるとともに、該横部１４には該エルボ２が嵌る切欠部１５を有した回転防止部１２を設けて成ることを特徴とするものである。このような構成とすることで、締付リング６を螺合する際に発生する回転防止具３の共回りを回避することができるとともに、該切欠部１５がエルボ２側面に当接することでエルボ２の共回りを防止し、本来向くべき鉛直下向き方向にエルボ２を向けることを可能とするものである。
【０００８】
また、請求項３に係る発明にあっては、単一のエルボ２を挿通する単一の穴開口部１１を備える板材１を複数枚備え、該板材１はエルボ２の回転を防止する回転防止部１２を備えるとともに、各板材１が同一平面上に位置するように各々の板材１を相互に固定する連結部４を備えて成ることを特徴とするものである。このような構成とすることで、上述した効果に加えてエルボ２を挿通するために壁面５に穿設された穴開口５１のピッチに合わせて回転防止具３を配設することが可能となるので、壁面５の穴開口５１と回転防止具３に穿設された穴開口部１１との調整が容易となるものである。
【０００９】
また、請求項４に係る発明にあっては、請求項３に係る発明において、前記板材１は縦部１３と該縦部１３から立設する横部１４とからなる略逆Ｌ字形状に形成され、該縦部１３に単一のエルボ２を挿通する単一の穴開口部１１を設けるとともに、該横部１４が直線状に形成されたエルボ２の側端部に線状又は平面状に当接して回転を防止する回転防止部１２となり、該横部１４には連結部４を接続する接続部１６を設けるとともに該連結部４には長手方向に長い被接続部４１を備え、該連結部４の被接続部４１に各板材の接続部１６を同一平面上の任意の位置に固定することで各板材１を相互に固定して成ることを特徴とするものである。このような構成とすることで、簡単な構成で上述した効果を得ることが可能となる。
【発明の効果】
【００１０】
本発明によれば、水栓エルボ締結時に生じていた共回りの煩わしさを解消することで容易に水栓エルボを取付ける事ができるとともに、水栓エルボの向きを間違って取付けることも回避できるので、現場施工における作業性を著しく向上させスムーズな作業の進行を実現するとともに配管破損や漏水といった問題も同時に解消することが可能となるものである。
【発明を実施するための最良の形態】
【００１１】
以下、本発明について添付図面に基づいて説明する。なお、本実施例においては以下水栓エルボとして説明するが、特に水栓エルボに限定されるものではないものである。
【００１２】
本発明の第一実施例については図１（ａ）に示すように、水用と湯用の水栓エルボ２が並設されており、水栓エルボ２の先端部には雄ねじ部２１が螺刻されている。環状に形成された後面平パッキン８ａに該水栓エルボ２を嵌挿し該水栓エルボ２の鍔部２２と回転防止具３にて挟圧し、回転防止具３から突出した水栓エルボ２の先端部を略矩形状の補強合板９の略中央に穿設された穴部に挿通するとともに、その先端部を壁面５（本実施例では壁パネル）に穿設された穴開口５１に挿通する。そして、そのバスルーム側に臨むように突出した水栓エルボ２の先端部を環状に形成された前面平パッキン８ｂに嵌挿し、環状に形成されたスベリパッキン８ｃに嵌挿した後に、環状に形成されるとともに壁面５側の側面に環状の凹部６１が形成してあり且つ中央の内側面に雌ねじ部６２を有した締付リング６にて螺合される。該締付リング６には４箇所の穴が正面視にて４等配された位置に穿設されており、略Ｙ状の形状を有しその枝分かれした２つの先端部に突起部７１を備えた締結具７（図２（ａ）及び図３（ａ）参照）にてその締付リング６表面の対向する２つの穴に該締結具７の突起部７１を嵌合させ、該締結具７を回転させることにより該締付リング６を螺合させる。該締付リング６の他の２つの穴には皿もみ加工がなされており、皿ねじにて形成される緩み止め防止ねじ６３にて締付リング６、スベリパッキン８ｃ、前面平パッキン８ｂ及び壁面５を挿通し、該緩み止め防止ねじ６３を前記補強合板９に螺挿させることで締付リング６の緩みによる漏水を防いでいる。このようにして、バスルーム側に水栓エルボ２の先端を臨ませるようにして水栓エルボ２が固設される。
【００１３】
水栓エルボは図１（ｂ）に示すように、円筒を平面視略Ｌ字状に屈曲させた形状をしており、壁面５に挿通する側の円筒状の外面には雄ねじが螺刻された雄ねじ部２１を形成するとともにその内面には雌ねじが螺刻された雌ねじ部２３を形成している。すなわち、該雄ねじ部２１には前記締付リング６が螺合し、該雌ねじ部２３にはバスルーム内の例えば浴槽用水栓に接続されるものである。さらに、水栓エルボ２の壁面５に挿通する側の基部には円筒外面から略垂直に全周に亘って平面視略円形状の鍔部２２が立設しており、水栓エルボ２の壁面５に挿通する側とは反対側の円筒側には湯用の配管及び水用の配管が接続されている。
【００１４】
前記締付リング６を締め付けることによって前面平パッキン８ｂが押し潰され、前面平パッキン８ｂが壁面５及び締付リング６に密着して前面該部をシールするとともに、後面平パッキン８ａが回転防止具３及び水栓エルボ２の前記鍔部２２に密着して水栓エルボ２側該部をシールしている。また、スベリパッキン８ｃは前面平パッキン８ｂと締付リング６の回転時における摩擦による負荷を軽減し、締付リング６の回転を容易にするものである。前面平パッキン８ｂ及び後面平パッキン８ａは、例えばアクリロニトリルブタジエンゴム（ＮＢＲ）やクロロプレンゴム（ＣＲ）やエチレンプロピレンゴム（ＥＰＤＭ）等といったゴム材にて形成されるものであるが、特に限定されるものではない。また、スベリパッキン８ｃ及び前面平パッキン８ｂ及び後面平パッキン８ａは略同形同大で且つ締付リング６よりも小さい径にて形成されている。
【００１５】
先述した通り締付リング６の壁面５側側面部は環状に凹部６１を形成するものであるので、スベリパッキン８ｃ及び前面平パッキン８ｂがその凹部６１に嵌まり込み、パッキン部が閉塞されることによって外観上良好なものとなっている。
【００１６】
本実施例の回転防止具３について詳述する。図１（ａ）及び図１（ｂ）に示すように、回転防止具３は板状の縦部１３及び該縦部１３から立設するように横部１４が成形され断面略Ｌ字状を形成している。該縦部１３には壁面５に穿設された穴開口５１のピッチと同寸法のピッチを有するとともに、水栓エルボ２の円筒部の外径よりも大きい径を有する２つの穴開口部１１が並設されており、前記横部１４には該穴開口部１１の直下に水栓エルボ２の円筒部の外径よりも大きい切欠部１５が夫々形成されている。なお、本実施例では該回転防止具３は鋼板を使用しているが、特に限定されるものではない。また、本実施例では２つの水栓エルボ２にて構成されているが、さらに多くの水栓エルボ２であってもよく、例えば４つの水栓エルボ２が並設されていても回転防止具３に対応する穴開口部１１及び切欠部１５が形成されていれば本発明と同様の効果が得られるものである。
【００１７】
このように構成することによって、前記締付リング６を回転させた場合に水栓エルボ２が共回りしようとしても、水栓エルボ２の側面が該切欠部１５に当接することで回転が規制され共回りを防ぐことができるのであり、さらに、２つの穴開口部１１を設けることで、該回転防止具３自体の共回りを防ぐための構成をあえて設ける必要もなく、簡単な構成で回転防止具３が回転するのを防止することが可能となるものである。
【００１８】
次に、本発明の第二実施例について図２（ａ）及び図２（ｂ）に基づいて説明する。なお、本実施例は図１（ａ）及び図１（ｂ）に示す実施例と大部分において同じであるため、同じ部分については同符号を付して説明を省略し、主に異なる部分について説明する。
【００１９】
本実施例における回転防止具３は、縦部１３と横部１４にて主体が構成されその形状は略逆Ｌ字形状の板材１で形成されるものであり、該縦部１３の略中央に単一の水栓エルボの挿通する１つの穴開口部１１が穿設されるとともに、該横部１４には後述する連結部４が接続される接続部１６が形成され、略同形状の２枚の前記板材１が該連結部４を架設し連結して構成されている。該接続部１６は前記横部１４の長手方向の略全長に亘り略中央に長穴を穿設し形成されている。該連結部４は、断面略Ｌ字形状にて形成されており、Ｌ字形状の一側面の長手方向の両端縁辺から僅かに内に位置する箇所から中央に向かって長穴が穿設され被接続部４１が形成されている。なお、接続部１６及び被接続部４１のいずれか一方に長穴を穿設し、他方にはボルトを挿通するための丸穴を穿設するものであってもよいものである。
【００２０】
連結部４の略両端に形成された前記被接続部４１に、前記横部１４に形成された接続部１６をボルト及びナットを螺合することにより固定し、縦部１３が同一平面上に位置するように相互に固定される。縦部１３を同一平面上に容易に位置させるために、ボルトは１枚の板材１に対して（すなわち１つの水栓エルボ２に対して）２式のボルト及びナットにて螺設することが好ましい。ボルト及びナットの材質は特に限定されるものでない。また、本実施例によればナットを使用しているが、横部１４の長手方向に並ぶように２つの雌ねじを螺刻することで前記接続部１６を形成し、該接続部１６と連結部４に形成された被接続部４１を螺合することによってナットを使用しないでも同様の効果が得られるものである。
【００２１】
水栓エルボ２の鍔部２２は正面視略円形状に形成されており、該鍔部２２の上部には水平にカットした鍔上端部２２１を形成するものである。このように構成することにより、水栓エルボ２を回転防止具３の穴開口部１１に挿通し締付リング６にて螺合させた際、水栓エルボ２が共回りしようとした場合であっても前記鍔上端部２２１が横部１４下面に線状に当接することで共回りを防止することができ、共回りの煩わしさから解放されるものである。さらに、連結部４を介して前記板材１が相互に固定されているため、回転防止具３自体の回転も防止することができ、接続部１６が長穴にて構成されているため、連結部４の長手方向の任意の位置に固定可能となり、壁面５に穿設された穴開口５１のピッチに誤差があっても容易に水栓エルボ２を嵌挿することができ作業者の作業性を著しく向上させるものである。
【００２２】
次に、本発明の第三実施例について図３（ａ）及び図３（ｂ）に基づいて説明する。本実施例についても同様の部分については同符号を付して説明を省略し、主に異なる部分について説明する。
【００２３】
本実施例における回転防止具は図３（ａ）及び図３（ｂ）に示すとおり、縦部１３と横部１４にて主体が構成されその形状は略逆Ｌ字形状で形成されるものであり、詳しくは横部１４が断面略矩形状に形成され、その両端部は開放されている。縦部１３には、略中央に単一の水栓エルボ２が挿通する穴開口部１１が穿設され、２枚の板材１を連結する連結部４を備えて構成される。該連結部４は断面矩形状にて構成され前記横部１４をなす矩形よりもやや小さい大きさにて形成され、２枚の板材１の相反する縁辺間と略同等の長さで形成される。該連結部４は角柱状であっても角パイプ状であってもよく、その材質は強度を必要とするため、例えば鋼材を用いるが特に限定されるものではない。
【００２４】
このようにして構成された棒状の連結部４の略両端に２つの板材１の横部１４を側面部から被嵌する。そうすることで、板材１が個々に回転するのを抑止することを可能とするものであり、第二実施例と同様の形状を有する水栓エルボ２の鍔上端部２２１が横部１４の下面に線状に当接することで、水栓エルボ２の共回りを回避することができる。また、棒状の連結部４を採用したことにより、板材１の可動範囲をかなり広くとることができ、板材１を摺動させ板材１間の穴開口部１１のピッチを調整することで、壁面５に穿設された穴開口５１のピッチに誤差があっても該穴開口部１１との調整を容易ならしめるものである。
【００２５】
なお、横部１４の相反する端部は閉塞させるとともに対向する端部のみ開放されていてもよく、その場合は連結部４の長さを若干短く構成する必要があり板材１の可動範囲が制限されるが、外観上は良好となるものである。
【００２６】
第二実施例及び第三実施例における水栓エルボ２の鍔部２２の形状は、例えば平面視六角形状であっても矩形状であってもよく、あるいは鍔状よりもさらに厚いブロック状にて形成されていてもよく、鍔上端部２２１が水平に形成されていれば同様の効果が得られるものであるため特に限定されるものではない。また、水栓エルボ２を鉛直下向きではなく所定の角度に設置したい場合には、その所望の角度を向けた場合の鍔上端部２２１が水平であれば、エルボ２を所望の角度にて配設することが可能となるものである。よって、例えば寒冷地において慣行される水栓エルボ２を上向きに設置する配管方式である、いわゆるオーバーヘッド配管方式であっても本発明によって配管が容易となるものである。
【００２７】
また、第二実施例及び第三実施例においては、２つの板材１を連結部４にて互いに固定する構成であるが、板材１は２枚に限るものではなく例えば４枚の板材１であっても同様の効果が得られるものであるため、本実施例に限定されるものではない。
【図面の簡単な説明】
【００２８】
【図１】本発明の第一実施例を説明する図であり、（ａ）は分解斜視図であり、（ｂ）は要部断面図を示している。
【図２】本発明の第二実施例を説明する図であり、（ａ）は分解斜視図であり、（ｂ）は要部断面図を示している。
【図３】本発明の第三実施例を説明する図であり、（ａ）は分解斜視図であり、（ｂ）は要部断面図を示している。
【図４】従来例の分解斜視図を説明する図である。
【符号の説明】
【００２９】
１      板材
１１    穴開口部
１２    回転防止部
１３    縦部
１４    横部
１５    切欠部
２      エルボ
２１    雄ねじ部
２２    鍔部
３      回転防止具
５      壁面
５１    壁面の穴開口
６      締付リング
６１    凹部
６２    雌ねじ部
６３    緩み止め防止ねじ
８ａ    後面パッキン
８ｂ    前面パッキン
８ｃ    スベリパッキン
９      補強合板
【図１】
2009203648.tif 000003
【図２】
2009203648.tif 000004
【図３】
2009203648.tif 000005
【図４】
2009203648.tif 000006